(57)【特許請求の範囲】
【請求項１】
光ディスクの半径方向に移動可能なキャリッジと、このキャリッジに設けられた光ヘッド部と、前記キャリッジを拘束するロンチロック機構とを有する光ディスク装置において、
前記キャリッジがロンチロック位置に移動し拘束された状態のときに上記光ヘッド部から出るレーザ光で集光可能な位置に設けられ、光ディスクと反射率の異なるミラーと、
前記ミラーに集光させ、反射してくる光の光量により、ディスクに集光しているかミラーに集光しているかを識別する判定手段と
を具備したことを特徴とする光ディスク装置。
【請求項２】
光ディスクの半径方向に移動可能なキャリッジと、このキャリッジに設けられた光ヘッド部と、前記キャリッジ部を拘束するロンチロック機構とを有する光ディスク装置において、前記キャリッジ部がロンチロック位置に移動し拘束された状態のときに上記光ヘッド部から出るレーザ光を検出可能な位置に設けられた光検出器と、前記光検出器の出力に基づきロンチロック状態を検出する手段とを具備したことを特徴とする光ディスク装置。
【発明の詳細な説明】
【０００１】
【発明の属する技術分野】
この発明は、光ディスク装置に関する。なおここでは人工衛星に搭載される光ディスク装置について説明する。
【０００２】
【従来の技術】
光ディスク装置は主として観測衛星に搭載され、各観測装置が得る膨大な観測データを地上に送信されるまでの間、衛星上に保持することを目的としている。図５に人工衛星搭載用光ディスク装置の一構成例を示す。衛星に搭載される記録装置には、打ち上げ時にかかる強烈な振動衝撃に耐えることが要求される。従来かかる問題を解決する手段として、特開平１０−１４９６４０号公報に示された光ディスク装置の例について、説明する。
【０００３】
図５に、人工衛星搭載用光ディスク装置の一例の斜視図を示す。光ディスク装置はデータを記録する媒体としての光ディスク３をスピンドルモータ４によって支持する。データを記録再生する光ヘッド５はキャリッジ１に搭載され、リニアモータ２の駆動力によって光ディスク３の半径方向の駆動力を得る。キャリッジ１はガイドレール７によってその軌道を支持される。スピンドルモータ４、リニアモータ２、ガイドレール７はフレーム６によって支持される。
【０００４】
図６は、特開平１０−１４９６４０号公報の図１５に示された斜視図であり、図７は同公報の図１６に示された平面図である。図において、１はキャリッジ、１１はベアリング、１２は与圧ベアリング、６はフレーム、７はガイドレール、８９はフレームに取付けられたロックローラで、キャリッジ１がロックローラ８９に乗り上げることにより、キャリッジ１はフレームに対し固定され、打ち上げ振動に耐えることができる。ローラで構成したことにより、乗り上げがよりスムーズに行うことができる。
【０００５】
【発明が解決しようとする課題】
衛星に搭載される光ディスク装置は、打ち上げ前にロンチロックをかける必要があるが、ロンチロックがかかっているかどうか確認する手段がないと、かけ忘れる可能性を否定できないという問題点があった。従って、ロンチロックをかけ忘れた場合には衛星の打ち上げによる振動によって光ディスク装置が損傷することがあった。
【０００６】
この発明は、このような問題点を解決するためになされたもので、上記のようなロンチロック機構の、キャリッジをシークさせるだけで、ロンチロックするという特徴を利用して、ロンチロックがかかっているかどうかを検出する手段を得ることを目的とする。
【０００７】
【課題を解決するための手段】
第１の発明の光ディスク装置は、キャリッジがロンチロックの位置にあるときのみ、光ヘッド部から出るレーザで集光可能な位置にミラーを有し、さらに、前記ミラーに集光したときの反射光の光量レベルによって、ディスクに集光したか、ミラーに集光したかを判定する反射率判定手段によって、ロンチロック状態を検出可能にしたものである。
【０００８】
また、第２の発明の光ディスク装置は、キャリッジがロンチロックの位置にあるときのみ、光ヘッド部から出るレーザで照射可能な位置に第２の光検出器を有し、前記第２の光検出器に照射することで、ロンチロック状態を検出可能にしたものである。
【０００９】
【発明の実施の形態】
実施の形態１．
図１は、この発明の実施の形態１による、キャリッジがロンチロック位置にある場合の、人工衛星搭載型光ディスク装置の構成図である。図において、１はキャリッジ、３は光ディスク、５は光ヘッド部、６はフレーム、７はガイドレール、８は集光ビーム、９はミラー、１３は光源、１４は光検出器、１５は対物レンズ、１６は反射率判定手段、１７はフォーカス方向駆動回路、１８はフォーカスアクチュエータ、１９はビームスプリッタ、２１はフレーム６に取り付けられたロックローラである。
【００１０】
図１について、動作を説明する。キャリッジ１は、外周のディスク３のないロンチロックの位置にある。キャリッジ１は、最外周にシークして、ロックローラ２１に乗り上げており、ロンチロックがかかっている。光源１３から出射した光は、ビームスプリッタ１９と対物レンズ１５を通って、ミラー９にあたる。フォーカスアクチュエータ１８により、対物レンズ１５を上下させると、対物レンズ１５によって集光させられた集光ビーム８は、ミラー９上で焦点を結ぶ時がある。この時、ミラー９から反射してくる光は、対物レンズ１５とビームスプリッタ１９を通って、光検出器１４に届き、光量のピークを検出できる。このピークのレベルは、ミラー９の反射率に依存する。
【００１１】
次に、図２について、キャリッジ１がディスク３の位置にあり、ロンチロックがかかっていない場合の動作を説明する。対物レンズ１５から出た光は、ディスク上で集光し、光検出器１４に届き、光量のピークを検出できる。このピークのレベルは、ディスク３の反射率に依存する。ディスク３とミラー９の反射率が明らかに異なれば、光検出器１４のピークレベルは明らかに異なるので、反射率判定手段１６により、ディスク３に集光しているのか、ミラー９に集光しているのか判定することができる。
【００１２】
次に、図３について、キャリッジ１がディスク３より外側の位置にあり、かつロンチロック位置にない場合の動作を説明する。フォーカスアクチュエータ１８を上下させても、対物レンズ１５から出た光は、決して集光することがない。したがって、光検出器１４は光を検出できない。これにより、キャリッジがロンチロックの位置にないことが判定できる。
【００１３】
実施の形態２．
図４は、この発明の実施の形態２による人工衛星搭載型光ディスク装置の構成図である。図において、１はキャリッジ、３は光ディスク、６はフレーム、７はガイドレール、８は集光ビーム、１０は第２の、光検出器１３は光源、１４は第１の光検出器、１５は対物レンズ、１７はフォーカス方向駆動回路、１８はフォーカスアクチュエータ、１９はビームスプリッタ、２０は光検出判定手段、２１はフレームに取り付けられたロックローラである。
【００１４】
図４について、動作を説明する。キャリッジ１は、外周のディスク３のないロンチロックの位置にある。キャリッジ１は、最外周にシークして、ロックローラ１８に乗り上げており、ロンチロックがかかっている。光源１３から出た光は、ビームスプリッタ１９と対物レンズ１５を通って、第２の光検出器１０にあたる。この時、光検出器１０からの信号を得て、光検出判定手段２０により、光が当たっているかどうか判定できる。キャリッジ１がロンチロックの位置にある時は、光が第２の光検出器１０に当たるようにし、ロンチロックの位置にない時は、当たらないようにする。こうすれば、光検出判定手段２０により、光が当たっていれば、キャリッジ１がロンチロックの位置にあり、光が当たっていなければ、キャリッジ１がロンチロックの位置にないことがわかる。この時、集光ビーム８が光検出器１０上で集光している必要は特にない。
【００１５】
【発明の効果】
第１の発明によれば、キャリッジがロンチロック位置にある時の集光位置にミラーを設け、反射してきた光の光量によって、ミラーに集光しているか、ディスクに集光しているか、判断する反射率判定手段を設けることによって、キャリッジがロンチロックしているかどうか確認できる。
【００１６】
第２の発明によれば、キャリッジがロンチロック位置にある時に光ヘッドからの光が当たる範囲に、第２の光検出器を設け、さらに光検出判定手段を設けることによって、キャリッジがロンチロックしているかどうか確認できる。
【図面の簡単な説明】
【図１】  この発明の実施の形態１による、キャリッジがロンチロック位置にある場合の人工衛星搭載型光ディスク装置の構成図である。
【図２】  この発明の実施の形態１による、キャリッジがディスク位置にある場合の人工衛星搭載型光ディスク装置の構成図である。
【図３】  この発明の実施の形態１による、キャリッジがディスク位置よりも外周にあり、かつロンチロック位置にない場合の人工衛星搭載型光ディスク装置の構成図である。
【図４】  この発明の実施の形態２による人工衛星搭載型光ディスク装置の構成図である。
【図５】  従来の光ディスク装置を示す斜視図である。
【図６】  従来の光ディスク装置のキャリッジ部を示す斜視図である。
【図７】  従来の光ディスク装置のキャリッジ部を示す平面図である。
【符号の説明】
１  キャリッジ、２  リニアモータ、３  光ディスク、４  スピンドルモータ、５  光ヘッド、６  フレーム、７  ガイドレール、８  集光ビーム、９  ミラー、１０  光検出器、１１  ベアリング、１２  与圧ベアリング、１３  光源、１４  光検出器、１５  対物レンズ、１６  反射率判定手段、１７  フォーカス方向駆動回路、１８  フォーカスアクチュエータ、１９  ビームスプリッタ、８９  ロックローラ。
【図１】
0003799835.tif 000002
【図２】
0003799835.tif 000003
【図３】
0003799835.tif 000004
【図４】
0003799835.tif 000005
【図５】
0003799835.tif 000006
【図６】
0003799835.tif 000007
【図７】
0003799835.tif 000008